(57)【要約】【課題】部品点数を増加させることなく、アンテナの位置決めを正確に行うことができる時計を提供する。【解決手段】地板１２５に地板受けリング１２６を嵌め合わせ、地板受けリング１２６にアンテナ位置決め用の凸部１２６ａ、アンテナフック部１２６ｃ、付勢部１２６ｄ等を形成する。リング状のアンテナ１１０には、切欠き部１１０ａ、フランジ部１１０ｂ、切欠き部１１０ｃを形成する。アンテナ位置決め用の凸部１２６ａと切欠き部１１０ｃを係合させることによりアンテナの平面方向の位置決めを行い、アンテナフック部１２６ｃとフランジ部１１０ｂとを係合させつつ、付勢部１２６ｄによってアンテナ１１０を上方向に付勢することにより、アンテナの上下方向の位置決めを行う。【選択図】図１８
2015175673.tif 000002
【特許請求の範囲】
【請求項１】
リング状のアンテナと、
前記アンテナを固定するアンテナ固定部材と、を有し、
前記アンテナ固定部材には、
前記アンテナを周方向に位置決めする第１位置決め部、及び、前記アンテナを高さ方向に位置決めする第２位置決め部を備える位置決め部と、
前記アンテナを前記高さ方向に付勢する付勢部との双方が形成されている、
ことを特徴とする時計。
【請求項２】
前記アンテナは、底面の複数箇所に形成された底面凹部と、外周面に形成された段差部とを備え、
前記第１位置決め部は、前記底面凹部と係合して前記アンテナを周方向に位置決めする位置決め凸部を備え、
前記第２位置決め部は、前記段差部と係合して前記アンテナを高さ方向に位置決めする位置決めフック部とを備え、
前記付勢部は、前記アンテナの底面に接触して前記アンテナを前記高さ方向に付勢するばね部を備える、
ことを特徴とする請求項１に記載の時計。
【請求項３】
前記第２位置決め部と前記付勢部は、周方向の複数箇所に形成されており、
前記付勢部は、前記周方向において２つの前記第２位置決め部の間の箇所に形成されている、
ことを特徴とする請求項１または請求項２に記載の時計。
【請求項４】
前記付勢部は、付勢部材により付勢されて前記アンテナに接触し、前記アンテナへの給電を行う給電部材を備える、
ことを特徴とする請求項１乃至請求項３のいずれか１項に記載の時計。
【請求項５】
前記アンテナ固定部材は、地板と一体または別体の部材である、
ことを特徴とする請求項１乃至請求項４のいずれか１項に記載の時計。
【請求項６】
前記アンテナ固定部材は、地板と別体の部材であり、
前記地板よりも弾性の高い部材で形成されている、
ことを特徴とする請求項５に記載の時計。
【請求項７】
前記アンテナ固定部材には、前記地板を周方向に位置決めする第３位置決め部、及び、前記地板を高さ方向に位置決めする第４位置決め部を備える、
ことを特徴とする請求項５または請求項６に記載の時計。
【請求項８】
前記アンテナ固定部材には、前記アンテナ固定部材及び前記地板を外装ケースに対して周方向に位置決めする第５位置決め部、並びに、前記アンテナ固定部材及び前記地板を外装ケースに対して高さ方向に位置決めする第６位置決め部を備える、
ことを特徴とする請求項５乃至請求項７のいずれか１項に記載の時計。
【発明の詳細な説明】
【技術分野】
【０００１】
本発明は、リング状のアンテナ体を備えた時計に関する。
【背景技術】
【０００２】
ＧＰＳ衛星からの電波情報を取得し正確な時刻を表示するＧＰＳ時計において、電波を受信するためリング状のアンテナを用いた時計が提案されている。このようなＧＰＳ時計においてリング状のアンテナの良好な受信感度を確保するためには、外装ケースや地板に対するアンテナの位置を正確に決める必要がある。
【０００３】
例えば、金属で形成されたリング状の付勢部材を地板に取り付け、付勢部材とアンテナとを係合させることにより、アンテナの上下方向の位置決めを行うことが提案されている（特許文献１）。
また、金属で形成されたリング状の付勢部材を地板に取り付け、付勢部材とアンテナとを係合させ、アンテナの上部に位置するダイヤルリングとアンテナとの間に所定の間隙を設けることにより、アンテナの破損を防ぐことが提案されている（特許文献２）。
【先行技術文献】
【特許文献】
【０００４】
【特許文献１】特開２０１３−１８１９２０号公報
【特許文献２】特開２０１３−１８１９１８号公報
【発明の概要】
【発明が解決しようとする課題】
【０００５】
しかしながら、上述のような付勢部材を設ける場合には、付勢部材の固定のために複数のねじが必要であり、また、地板にも対応するねじ穴を設ける必要がある。したがって、構造が複雑となり、部品点数の増加によるコストの上昇や組立工程の増加を招いていた。
【０００６】
本発明は、上述した事情に鑑みてなされたものであり、部品点数を増加させることなく、アンテナの位置決めを正確に行うことができる時計を提供することを解決課題としている。
【課題を解決するための手段】
【０００７】
以上の課題を解決するため、本発明に係る時計は、リング状のアンテナと、前記アンテナを固定するアンテナ固定部材と、を有し、前記アンテナ固定部材には、前記アンテナを周方向に位置決めする第１位置決め部、及び、前記アンテナを高さ方向に位置決めする第２位置決め部を備える位置決め部と、前記アンテナを前記高さ方向に付勢する付勢部との双方が形成されていることを特徴とする。
【０００８】
本発明によれば、アンテナ固定部材に、アンテナを周方向に位置決めする第１位置決め部、及び、アンテナを高さ方向に位置決めする第２位置決め部を備える位置決め部だけでなく、アンテナを高さ方向に付勢する付勢部が形成されているので、部品点数を増加させることなく、アンテナの位置決めを正確に行うことができる。なお、本発明において「リング状」とは、少なくとも、全部がつながったＯ型、一部が欠けたＣ型を含む。また、明細書に記載の円形状の他、四角形状や多角形状を含む。
【０００９】
上述した時計において、前記アンテナは、底面の複数箇所に形成された底面凹部と、外周面に形成された段差部とを備え、前記第１位置決め部は、前記底面凹部と係合して前記アンテナを周方向に位置決めする位置決め凸部を備え、前記第２位置決め部は、前記段差部と係合して前記アンテナを高さ方向に位置決めする位置決めフック部とを備え、前記付勢部は、前記アンテナの底面に接触して前記アンテナを前記高さ方向に付勢するばね部を備えるようにしてもよい。この場合には、アンテナの底面凹部とアンテナ固定部材の位置決め凸部が係合することにより、アンテナの周方向の位置決めが行われる。また、アンテナの段差部と、アンテナ固定部材の位置決めフック部が係合することにより、アンテナの高さ方向における位置決めが行われる。このように、アンテナ固定部材に、アンテナを周方向に位置決めする第１位置決め部、及び、アンテナを高さ方向に位置決めする第２位置決め部を備える位置決め部だけでなく、アンテナを高さ方向に付勢する付勢部が形成されているので、部品点数を増加させることなく、アンテナの位置決めを正確に行うことができる。
【００１０】
上述した時計において、前記第２位置決め部と前記付勢部は、周方向の複数箇所に形成されており、前記付勢部は、前記周方向において２つの前記第２位置決め部の間の箇所に形成されているようにしてもよい。この場合には、アンテナを高さ方向に位置決めする第２位置決め部と、アンテナを高さ方向に付勢する付勢部とが交互に配置されているので、アンテナに加わる力が分散され、アンテナを安定して位置決めすることができる。
【００１１】
上述した時計において、前記付勢部は、付勢部材により付勢されて前記アンテナに接触し、前記アンテナへの給電を行う給電部材を備えるようにしてもよい。この場合には、給電部材は付勢部材により付勢されてアンテナに接触するので、確実に給電が行われる。また、給電部材は、アンテナを高さ方向に付勢する付勢部としても機能するので、アンテナ固定部材におる付勢部の形成箇所を減らすことができる。
【００１２】
上述した時計において、前記アンテナ固定部材は、地板と一体の部材でもよいし、別体の部材でもよい。アンテナ固定部材を地板と一体に形成した場合には、アンテナ固定部材と地板との組立工程を減らすことができる。また、アンテナ固定部材を地板と別体に形成した場合には、例えば、アンテナ固定部材を地板よりも弾性の高い部材で形成することにより、アンテナに必要以上の押圧力を与えることのない付勢部及び第２位置決め部を形成することができる。
【００１３】
上述した時計において、前記アンテナ固定部材は、地板と別体の部材であり、前記地板よりも弾性の高い部材で形成されているようにしてもよい。この場合には、アンテナに必要以上の押圧力を与えることのない付勢部及び第２位置決め部を形成することができる。
【００１４】
上述した時計において、前記アンテナ固定部材には、前記地板を周方向に位置決めする第３位置決め部、及び、前記地板を高さ方向に位置決めする第４位置決め部を備えるようにしてもよい。この場合には、アンテナ固定部材により、地板の位置決めを精度良く行うことができる。
【００１５】
上述した時計において、前記アンテナ固定部材には、前記アンテナ固定部材及び前記地板を外装ケースに対して周方向に位置決めする第５位置決め部、並びに、前記アンテナ固定部材及び前記地板を外装ケースに対して高さ方向に位置決めする第６位置決め部を備えるようにしてもよい。この場合には、アンテナ固定部材及び地板を外装ケースに対して精度良く位置決めすることができ、その結果として、アンテナを外装ケースに対して精度良く位置決めすることができる。
【図面の簡単な説明】
【００１６】
【図１】本発明の実施形態に係る電子時計を含むＧＰＳの全体図である。
【図２】電子時計の全体を示す斜視図である。
【図３】電子時計の全体を示す６面図である。
【図４】電子時計の概略を示す部分断面図である。
【図５】電子時計の外観を示す概略平面図である。
【図６】電子時計の電気制御ブロック図である。
【図７】アンテナの外観を示す平面図である。
【図８】アンテナの外観を示す底面図である。
【図９】アンテナ、地板、及び地板受けリングの外観を示す展開斜視図である。
【図１０】地板受けリングの外観を示す平面図である。
【図１１】地板に地板受けリングを嵌め合わせた状態を示す展開斜視図である。
【図１２】地板に地板受けリングを嵌め合わせた状態を示す平面図である。
【図１３】地板と地板受けリングとの接触部周辺の一部拡大平面図である。
【図１４】地板と地板受けリングとの接触部周辺の一部拡大斜視図である。
【図１５】地板と地板受けリングとの接触部周辺の一部拡大斜視図である。
【図１６】地板受けリングを嵌め合わせた地板に、アンテナ接続ピンが内包されたケースを収容した状態を示す展開斜視図である。
【図１７】地板受けリングを嵌め合わせた地板に、アンテナ接続ピンが内包されたケースを収容した状態を示す平面図である。
【図１８】図１６に示す状態から、地板受けリングにおけるアンテナの設置部にアンテナを設置した状態を示す展開斜視図である。
【図１９】図１６に示す状態から、地板受けリングにおけるアンテナの設置部にアンテナを設置した状態を示す平面図である。
【図２０】地板受けリングとアンテナの係合部周辺の一部拡大斜視図である。
【図２１】地板受けリングとアンテナの係合部周辺の一部拡大斜視図である。
【図２２】（Ａ）は地板受けリングの付勢部によりアンテナを付勢する状態を示す断面図、（Ｂ）は地板受けリングの付勢部を示す断面図である。
【図２３】アンテナ接続ピンの設置位置周辺の断面図である。
【図２４】変形例に係る電子時計の外観を示す概略図である。
【発明を実施するための形態】
【００１７】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
＜Ａ：電子時計の概要＞
図１乃至図２３を参照しつつ本発明の一実施形態について説明する。図１は、本発明の一実施形態に係る電子時計を含むＧＰＳの全体図である。まず、電子時計が、外部信号としての電波を用いて、現在地の位置情報と、時刻情報とを求めるＧＰＳの概要を説明する。
【００１９】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の滋養空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２０】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２１】
ＧＰＳ衛星８は原子時計を搭載しており、衛星信号は原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメータも含まれている。電子時計１０は、１つのＧＰＳ衛星８から送信された衛星信号を受信し、その中に含まれるＧＰＳ時刻情報と時刻補正パラメータとを使用して得られた正確な時刻（時刻情報）を内部時刻とする。
【００２２】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２３】
次に、電子時計１０の概略構成について説明する。図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である、図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２４】
図２及び図３に示すように、電子時計１０は、外装ケース３０と、カバーガラス３３と、裏蓋３４とを備えている。外装ケース３０は、金属で形成されていた円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００２５】
文字板１１には、指針２１．２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０及びカレンダー小窓１５などは、カバーガラス３３を透かして、視認可能となっている。
【００２６】
外装ケース３０の側面には、文字板１１の中心により、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４及びリュウズ５０が操作されることにより、操作に応じた操作信号が出力される。
【００２７】
図４に示すように、電子時計１０は、金属製の外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視中心を通り、表裏方向に延在する中心軸に沿って設けられている。
【００２８】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ１１０が収納されている。
【００２９】
アンテナ１１０は、リング形状の誘電体を基材として、これに金属のアンテナパターンをメッキや銀ペースト印刷などにより形成したものである。アンテナ１１０は、文字板１１の外周に配置されており、ベゼル３２の内周面側に配置され、さらにプラスチックで形成されたダイヤルリング４０、及びカバーガラス３３で覆われているため、良好な受信を確保することが可能となっている。誘電体としては、酸化チタンなどの高周波で使える誘電材料を樹脂に混ぜて成形することができ、これにより誘電体の波長短縮と相俟ってアンテナをより小型化できる。
【００３０】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００３１】
文字板１１と、駆動機構１４０が取り付けられている地板１２５との間には、光発電を行ソーラーパネル１３５が備えられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５及び地板１２５には、指針軸２５と、第１小窓７０の指針７１、第２小窓８０の指針８１及び第３小窓９０の指針９１の指針軸（図示せず）とが貫通する孔が形成されているとともに、カレンダー小窓１５の開口部が形成されている。
【００３２】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１及び第３小窓９０の指針９１も同様の駆動機構（図示せず）を有し、各指針７１，８１，９１が駆動する。
【００３３】
回路基板１２０は、受信部（ＧＰＳモジュール）１２２、制御部１５０及びリチウムイオン電池などの二次電池１３０を備えている。二次電池１３０は、ソーラーパネル１３５が発電した電力で充電される。また、この回路基板１２０とアンテナ１１０とは、アンテナ接続ピン１１５を用い接続されている。なお、回路基板１２０の下方には、回路押え１２３が設けられている。
【００３４】
アンテナ１１０は、給電点を通じて給電され、この給電点には、アンテナ１１０の裏面側に配置されたアンテナ接続ピン１１５が接続されている。アンテナ接続ピン１１５は金属で形成されたピン状のコネクターであり、回路基板１２０に突設されて、地板１２５に開口された挿通孔を貫通されて収納空間内へ挿通されている。これにより、回路基板１２０と、収納空間内部のアンテナ１１０とが、アンテナ接続ピン１１５で接続されている。
【００３５】
地板１２５は、プラスチック部品で構成されており、内部に駆動機構１４０及び二次電池１３０の取り付け部を有し、上面にはソーラーパネル１３５と文字板１１の固定部が設けられている。
【００３６】
地板受けリング１２６は、地板１２５の外周から外装ケース３０を構成するケース３１の内周の間に設けられ、アンテナ１１０の位置決めや固定を行う。本実施形態では、地板受けリング１２６の材料として、地板１２５材料より柔らかい材料を使用することで、地板受けリング１２６にアンテナフック部及び付勢部を形成し、アンテナ１１０の位置決めを行っている。
地板受けリング１２６は、地板１２５の外周部に配置され、地板受けリング１２６の内周に設けた突起形状を地板１２５の外周に当てることにより、平面方向の位置決めが行なわれる。また、地板受けリング１２６は、地板１２５の外周に設けた庇と係合することで高さ方向の位置決めが行われる。
さらに、地板受けリング１２６の外周に設けた突起形状が外装ケース３０を構成するケース３１の内径に当たりムーブメント全体の平面位置が決まり、ケース３１の庇３１ａと係合することで、地板１２５及び地板受けリング１２６を含めたムーブメント全体の平面方向の位置決めが行われる。詳しくは後述する。
地板受けリング１２６と外装ケース３０が直接接する構造になっていて平面方向や高さ方向の位置決めが行われるため、地板受けリング１２６において位置決めされるアンテナ１１０も外装ケース３０との位置が精度よく決まり、個体差のばらつきのない良好な受信感度確保が実現できる。
地板受けリング１２６の詳細については後述する。
【００３７】
＜Ｂ：電子時計の表示機能＞
【００３８】
次に、電子時計１０の表示機能について説明する。図５は、電子時計の外観を示す概略平面図である。
図５に示すように、文字板１１の最外周には、外周を６分割〜６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００３９】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００４０】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。使用者がＢボタン６２を操作することにより、指針８１が「Ｙ」または「Ｎ」のいずれか一方を指示し、衛星信号の受信結果を表示する。また、使用者がＡボタン６１とＢボタン６２とを操作して、指針８１を「Ｙ」または「Ｎ」に合わせることで、衛星信号の自動受信のＯＮ／ＯＦＦを設定することができる。また、使用者がＢボタン６２を操作して、電子時計１０に衛星信号を手動受信させた時、指針７１は、衛星の捕捉数量を表示する。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示８３を含む小窓が設けられる位置に応じて、視認しやすい位置に設けることが好ましい。
【００４１】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００４２】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００４３】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図４参照)のパワーインジケーターであり、電池の残量に応じて、指針９１が基端、先端、中間のいずれかを指し示す。
【００４４】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。使用者はＡボタン６１を操作し、指針９１で記号９３（機内モード）を選択することで、電子時計１０の衛星信号の受信を停止させることができる。
【００４５】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１が「１」または「４＋」のいずれかを指示し、電子時計１０が直前に受信した衛星信号の受信モードを表示する。
【００４６】
カレンダー小窓１５は、文字板１１を矩形状に開口した開口部に設けられており、開口部から数字が視認可能となっている。この数字は、年月日の「日」を表す。
【００４７】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００４８】
上述したように、文字板１１には、６０分割された分及び秒を表示する目盛が刻まれ、文字板１１の外周部を囲むダイヤルリング４０には、この目盛に沿って、ＵＴＣとの時差を表す時差情報４５が数字と、数字以外の記号と、で表記されている。数字の時差情報４５は整数の時差であり、記号の時差情報４５は整数以外の時差であることを表している指針２２，２３，８１で表示されて内部時刻と、ＵＴＣとの時差は、リュウズ５０の操作により指針２１の指し示す時差情報４５で確認することができる。
電子時計１０は、文字板１１に設けられている６０分割された目盛の一目盛に一時差を割り当てることで最大６０個までの異なる時差に対応した内部時刻を表すことができる。なお、本実施形態では、「ＵＴＣ」記号の時差情報４５は時差の基準である世界協定時を表し、「・」記号の時差情報４５は整数以外の時差を表しているが、他の記号を用いて表記をしてもよい。
【００４９】
本実施形態では、ダイヤルリング４０の「８」と「９」との数字の間に表記されている「・」記号の時差情報４５は、＋８．７５時間（＋８時間４５分）の時差を表し、ＵＴＣ＋８．７５時間を標準時として使用するタイムゾーンを意味する。現在この標準時を含め、全世界では４０種類のタイムゾーンが存在し、電子時計１０のダイヤルリング４０には、４０種類のタイムゾーンを表す時差が時差情報４５として表記されている。また、タイムゾーンの表示は６０種類以内とすることが好適である。６０種類を超えると表示が小さくなり、判別することが困難になる可能性がある。
【００５０】
ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。本実施形態では、都市名を三文字のアルファベットで略したスリーレターコードを使用して都市情報３５が表記されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」北京、「ＴＹＯ」は東京、「ＡＤＬ」はアデレード、「ＳＹＤ」はシドニー、「ＮＯＵ」はネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差情報４５の数字「９」より、東京はＵＴＣ＋９時間の標準時を使用していることを容易に判断することができる。また、「ＣＸＩ」のコードはキリスィマスィ島を表し、このコードに対応してダイヤルリング４０に併記されている時差情報４５の数字「１４」より、キリスィマスィ島はＵＴＣ＋１４時間の標準時を使用していることを容易に判断することができる。なお、本実施形態では、表示スペースの制約と視認性の向上とのため、一部の時差情報４５の時差に対応する代表都市名の表記は省略されている。また、代表都市名の表記方法は一例であり、他の方法で表記してもよい。時差情報４５と都市情報３５との表記をタイムゾーン表示４６という。本実施形態では、全世界で使用されているタイムゾーンの数と等しいタイムゾーン表示４６が表記されている。
【００５１】
＜Ｃ：電子時計の電気的構成＞
次に、電子時計１０の電気的構成について説明する。
図６は、電子時計の電気制御ブロック図である。図６に示すように、電子時計１０は、ＣＰＵ（中央処理装置）１５３、ＲＡＭ（Random Access Memory）１５４、ＲＯＭ（Read Only Memory）１５５を基本構成とるす制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図５に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００５２】
受信部１２２は、アンテナ１１０を備え、アンテナ１１０を介して受信した衛星信号を処理してＧＰＳモ時刻情報や位置情報を取得する。アンテナ１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００５３】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンプ部）と、ＢＢ部で復調された航法メッセージ（衛星信号）からＧＰＳ時刻情報や位置情報（測位情報）を取得して出力する情報取得部とを備えている。つまり、受信部１２２、ＧＰＳ衛星８から送信される衛星信号を受信し、受信結果に基づいてＧＰＳ時刻情報と位置情報とを出力する受信部として機能する。
【００５４】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００５５】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５６】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００５７】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御及び計時を行う。この計時は、例えば、図示しない発振回路からの基準信号のパルス数を計数することによって行われる。
【００５８】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１（図５参照）により内部時刻が表示される。
【００５９】
＜Ｄ：電子時計におけるアンテナ固定部材の構成＞
次に、電子時計１０におけるアンテナ１１０を固定するアンテナ固定部材の構成について説明する。本実施形態では、一例として、地板１２５と別体の部材である地板受けリング１２６をアンテナ固定部材として用いる。
図７はアンテナ１１０の平面図、図８はアンテナ１１０の底面図である。図７及び図８に示すように、本実施形態のアンテナ１１０はリング状に形成され、アンテナ１１０の内周には、複数箇所に切欠き部１１１が備えられている。アンテナ１１０の上面には第１アンテナパターン１１２が形成されている。第１アンテナパターン１１２は、金属またはその他の導電性材料を用いてメッキまたはペースト印刷等を行うことにより形成する。図７に示すように、第１アンテナパターン１１２は、切欠き部１１２ａを有し、リングの一部を切り欠いたＣ形状に形成されている。
アンテナ１１０の内周側の側面には、第２アンテナパターン１１３が形成されている。第２アンテナパターン１１３は、第１アンテナパターン１１２と同様に、金属またはその他の導電性材料を用いてメッキまたはペースト印刷等を行うことにより形成する。第２アンテナパターン１１３は、図７に示すように円弧状の素子であり、第１アンテナパターン１１２と一定の間隔を保つように形成されている。第２アンテナパターン１１３の一方の端部には、当該端部と接触するように給電板１１４が配置されており、給電板１１４は、図８に示すようにアンテナ１１０の底面側に至る長さを有して形成されている。給電板１１４は、後述するように、アンテナ１１０の底面側でアンテナ接続ピンと接触する。したがって、給電板１１４と接触する第２アンテナパターン１１３の端部は、アンテナ接続ピン及び給電板１１４を介して給電が行われる給電位置となる。この給電位置から図７に示す左回転方向側には、第２アンテナパターン１１３を所定長さ分だけ確保する必要があり、この所定長さ分の領域に切欠き部１１１を形成することはできない。本実施形態においては、給電位置から左回転方向側に、第２アンテナパターン１１３を所定長さ分だけ確保しているので、電波を良好に受信することができる。
【００６０】
図９は、アンテナ１１０、地板１２５、及び地板受けリング１２６を示す展開斜視図である。図７乃至図９に示すように、アンテナ１１０の外周には、切欠き部１１０ａが３箇所に形成されており、切欠き部１１０ａにはフランジ部１１０ｂが設けられている。フランジ部１１０ｂと、後述する地板受けリング１２６のフック部１２６ｂとが係合することにより、アンテナ１１０の地板受けリング１２６に対する高さ方向の位置決めが行われる。
図８及び図９に示すように、アンテナ１１０の底面から底面に近い側面にかけて、切欠き部１１０ｃが６箇所に形成されている。切欠き部１１０ｃと、図９に示すように地板受けリング１２６に形成された凸部１２６ａとが係合することにより、アンテナ１１０の地板受けリング１２６に対する平面方向の位置決めが行われる。
【００６１】
地板１２５の外周には、図９に示すように、庇１２５ａが６箇所に設けられており、庇１２５ａと地板受けリング１２６の地板受け部１２６ｆとが係合することにより、地板受けリング１２６の地板１２５に対する上方向への位置決めが行われる。
【００６２】
図１０は地板受けリング１２６を示す平面図である。図９及び図１０に示すように、地板受けリング１２６は、アンテナ１１０を平面方向に位置決めするための凸部１２６ａと、アンテナ１１０を高さ方向に位置決めするためのアンテナフック部１２６ｃと、アンテナ１１０を高さ方向に付勢する付勢部１２６ｄ，１２６ｅと、地板１２５の庇１２５ａと係合する地板受け部１２６ｆと、地板受けリング１２６の内周に設けられた凸状円弧面を有する内周凸状部１２６ｇと、地板受けリング１２６の外周に設けられた凸状円弧面を有する外周凸状部１２６ｈと、アンテナ接続ピン１１５のケース１１６が挿入されるケース孔１２７とを備えている。
【００６３】
図１１は地板１２５に地板受けリング１２６を嵌め合わせた状態を示す展開斜視図、図１２は地板１２５に地板受けリング１２６を嵌め合わせた状態を示す平面図、図１３は地板１２５と地板受けリング１２６との接触部周辺を示す一部拡大平面図、図１４、図１５は地板１２５と地板受けリング１２６との接触部周辺を示す一部拡大斜視図である。
図１１及び図１２に示すように、地板１２５の庇１２５ａを地板受けリング１２６の地板受け部１２６ｆに係合させることにより、地板受けリング１２６の地板１２５に対する上方向（高さ方向）の位置決めが行われ、庇１２５ａの上面と地板受けリング１２６の上面が揃い、これらの面にアンテナ１１０を載置することが可能となる。
また、図１３乃至図１５に示すように、地板１２５に地板受けリング１２６を嵌め合わせると、状態地板受けリング１２６の内周凸状部１２６ｇが、地板１２５の外周に接触することになり、地板受けリング１２６の地板１２５に対する平面方向（周方向）の位置決めが行われる。
したがって、地板受けリング１２６の地板受け部１２６ｆは、地板を高さ方向に位置決めする第４位置決め部として機能し、地板受けリング１２６の内周凸状部１２６ｇは、地板を周方向に位置決めする第３位置決め部として機能する。
【００６４】
図１６は地板受けリング１２６を嵌め合わせた地板１２５に、アンテナ接続ピン１１５が内包されたケース１１６を収容した状態を示す展開斜視図、図１７は図１６に示す状態の地板受けリング１２６及び地板１２５を示す平面図である。
図１６及び図１７に示すように、アンテナ接続ピン１１５の先頭は、地板受けリング１２６におけるアンテナ１１０の設置面に位置することになり、設置面にアンテナ１１０を設置することにより、アンテナ接続ピン１１５と給電板１１４とが接触することになる。
【００６５】
図１８は図１６に示す状態から、地板受けリング１２６におけるアンテナ１１０の設置面に、アンテナ１１０を設置した状態を示す展開斜視図、図１９は図１８に示す状態の地板受けリング１２６、地板１２５、及びアンテナ１１０を示す平面図、図２０、図２１はアンテナ１１０と地板受けリング１２６との係合部周辺を示す拡大斜視図である。
図１８、図２０、及び図２１に示すように、アンテナ１１０の外周の切欠き部１１０ｃと、地板受けリング１２６の凸部１２６ａとが係合することにより、アンテナ１１０の地板受けリング１２６に対する平面方向（周方向）の位置決めが行われる。
また、図１８乃至図２０に示すように、アンテナ１１０の外周の切欠き部１１０ａに設けられたフランジ部１１０ｂと、地板受けリング１２６のアンテナフック部１２６ｃとが係合することにより、アンテナ１１０の地板受けリング１２６に対する下方向の位置決めが行われる。
したがって、地板受けリング１２６の凸部１２６ａは、アンテナを周方向に位置決めする第１位置決め部または位置決め凸部として機能し、地板受けリング１２６のアンテナフック部１２６ｃは、アンテナを高さ方向に位置決めする第２位置決め部または位置決めフック部として機能する。さらに、フランジ部１１０ｂは、アンテナの外周面に形成された段差部として機能し、切欠き部１１０ｃは、アンテナの底面の複数箇所に形成された底面凹部として機能する。
【００６６】
さらに、図２１に示すように、アンテナ１１０の付勢部１２６ｄによってアンテナ１１０を上方向に付勢する。地板受けリング１２６は、地板１２５よりも柔らかい部材、例えばＰＯＭ（ポリオキシメチレン）で形成されており、付勢部１２６ｄは、図２２（Ｂ）に示すように、片持ちばねとして形成されている。付勢部１２６ｄの上端部１２６ｄ−１の位置は、アンテナ１１０が地板受けリング１２６の設置面に設置された際のアンテナ１１０の底面よりも上方に位置するように設定されている。したがって、図２２（Ａ）に示すように、アンテナ１１０を地板受けリング１２６の設置面に設置すると、付勢部１２６ｄは、アンテナ１１０により下方向に押圧され、付勢部１２６ｄの弾性力により、アンテナ１１０を上方向に付勢する。
また、図１７において地板受けリング１２６の上部に示される付勢部１２６ｅは、片持ちばねではなく、両端が支持された付勢部として形成されている。この場合にも、付勢部１２６ｅは、付勢部１２６ｅの弾性力により、アンテナ１１０を上方向に付勢する。
したがって、付勢部１２６ｅは、付勢部１２６ｅは、アンテナの底面に接触してアンテナを高さ方向に付勢するばね部として機能する。
以上のように、アンテナ１１０は、地板受けリング１２６のアンテナフック部１２６ｃにより上方向の移動を規制され、地板受けリング１２６の付勢部１２６ｄ，１２６ｅにより上方向に付勢されるので、地板受けリング１２６に対する上下方向、つまり、アンテナ１１０の高さ方向の位置決めが確実に行われることになる。
【００６７】
図２３は、アンテナ接続ピン１１５が設置された箇所の一部拡大断面図である。図２３に示すうに、アンテナ接続ピン１１５、ケース１１６内において、ばね１１５ａにより上方向に付勢されている。また、アンテナ接続ピン１１５の上端位置は、アンテナ１１０が地板受けリング１２６の設置面に設置された際のアンテナ１１０の底面よりも上方に位置するように設定されている。したがって、図２３に示すように、アンテナ１１０を地板受けリング１２６の設置面に設置すると、アンテナ接続ピン１１５は、アンテナ１１０により下方向に押圧され、ばね１１５ａの弾性力により、アンテナ１１０を上方向に付勢する。その結果、アンテナ接続ピン１１５は、確実に給電板１１４に接触すると共に、上述した付勢部１２６ｄ，１２６ｅと相俟ってアンテナ１１０を上方向に付勢するので、アンテナ１１０は、地板受けリング１２６に対する上下方向、つまり、アンテナ１１０の高さ方向に対して確実に位置決めされることになる。
したがって、アンテナ接続ピン１１５は、付勢部材により付勢されてアンテナに接触し、アンテナへの給電を行う給電部材として機能する。
【００６８】
本実施形態においては、図１７に示すように、地板受けリング１２６のアンテナフック部１２６ｃを、地板受けリング１２６の周方向にほぼ１２０度の角度でほぼ等間隔に配置している。また、付勢部１２６ｄと付勢部１２６ｅを、地板受けリング１２６の周方向において、アンテナフック部１２６ｃのほぼ中間の位置となるように配置している。したがって、アンテナ１１０を下方向に押圧する箇所と、アンテナ１１０を上方向に付勢する箇所とがバランス良く配置されており、アンテナ１１０を安定して高さ方向に位置決めすることができる。
【００６９】
図１８に示す状態から、ソーラーパネル１３５及び文字板１１を地板１２５に取り付けてムーブメントとして組み立てた後、このムーブメントを外装ケース３０の裏面側の開口から挿入すると、例えば図２０に示すようにアンテナ１１０のさらに外周に位置する地板受けリング１２６の上面１２６ｊは、図４に示すように外装ケース３０のケース３１の庇３1ａと係合して、ムーブメント全体の上下方向の位置決めが行われる。
また、図１８乃至図２１に示すように、地板受けリング１２６の外周には、凸状円弧面を有する外周凸状部１２６ｈが複数箇所に設けられている。したがって、ムーブメントを外装ケース３０の裏面側の開口から挿入すると、地板受けリング１２６の外周に設けられた外周凸状部１２６ｈは、外装ケース３０のケース３１の内周に当たり、ムーブメント全体の平面方向（周方向）の位置決めが行われる。
したがって、地板受けリング１２６の外周凸状部１２６ｈは、アンテナ固定部材及び地板を外装ケースに対して周方向に位置決めする第５位置決め部として機能し、地板受けリング１２６の上面１２６ｊは、アンテナ固定部材及び地板を外装ケースに対して高さ方向に位置決めする第６位置決め部として機能する。
以上のように、アンテナ１１０は、外装ケース３０に対しても上下方向（高さ方向）及び平面方向に確実に位置決めされることになる。
【００７０】
電子時計１０が落下した際の衝撃はアンテナ１１０にも伝わるが、この際の平面方向の衝撃は、地板受けリング１２６の外周の複数箇所に形成された外周凸状部１２６ｈによって分散される。また、外周凸状部１２６ｈを複数箇所に形成することにより、どの方向からの衝撃にも対応可能となっている。
また、上下方向（平面方向に垂直な方向）の衝撃については、アンテナ１１０を付勢する地板受けリング１２６の付勢部１２６ｄ，１２６ｅ及びアンテナ接続ピン１１５と、同じく弾性を有する地板受けリング１２６のアンテナフック部１２６ｃにより吸収される。
【００７１】
以上のように、本実施形態においては、単一の部材である地板受けリング１２６をアンテナ固定部材として用い、アンテナ１１０を地板受けリング１２６により平面方向及び高さ方向（平面方向に垂直な方向）に位置決めするようにしたので、複数の部材を用いる場合に比べて精度良く位置決めを行うことができる。また、複数の部材を用いる場合に比べて部材の組立て工数を減らすことができる。
【００７２】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００７３】
（変形例１）
図２４は、変形例に係る電子時計の外観を示す概略図である。
上記実施形態では、図５のように、電子時計１０はクロノグラフ機能を有しているもの
として説明したが、この構成に限定するものではない。
以下、変形例に係る電子時計２００について説明する。なお、実施形態と同一の構成部
位については、同一の符号を附し、重複する説明は省略する。
【００７４】
図２４に示すように、文字板１２の外周には、外周を６０分割にする目盛が表記されている。この目盛を用いて、指針２２，２３，２４は内部時計の時刻を表示する。
文字板１２には、視認性のよい、中心より３時の方向に矩形のカレンダー小窓１６が設
けられている。カレンダー小窓１６は、文字板１２を開口して設けられており、開口部か
ら数字が視認可能となっている。この数字は、年月日の「日」を表す。
【００７５】
文字板１２には、６０分割された分および秒を表示する目盛が刻まれ、文字板１２の周
囲に設けられている外周部には、この目盛に沿って、全世界で使用されている４０種類の
タイムゾーン表示４６が表記されている。指針２２，２３，２４で表示された内部時刻の
タイムゾーンは、リュウズ５０の操作により指針２４の指し示すタイムゾーン表示４６で
確認することができる。
【００７６】
以上述べたように、本変形例に係る電子時計２００においても、地板受けリング１２６によりアンテナ１１０を平面方向及び高さ方向（平面方向に垂直な方向）に位置決めするようにしたので、複数の部材を用いる場合に比べて精度良く位置決めを行うことができる。また、複数の部材を用いる場合に比べて部材の組立て工数を減らすことができる。
【００７７】
（変形例２）
上述した実施形態においては、地板１２５と地板受けリング１２６とを別体の部材として構成したが、本発明はこの構成に限定されるものではなく、地板１２５と地板受けリング１２６とを一体として構成してもよい。この場合も、複数の部材を用いる場合に比べて精度良く位置決めを行うことができる。また、複数の部材を用いる場合に比べて部材の組立て工数を減らすことができる。
【００７８】
（変形例３）
上述した実施形態においては、片持ちばねの付勢部１２６ｄと、両端支持の付勢部１２６ｅとを混在させた構成としたが、本発明はこの構成に限定されるものではない。例えば、全ての付勢部を片持ちばねの付勢部１２６ｄとしてもよいし、全ての付勢部を両端支持の付勢部１２６ｅとしてもよい。
なお、付勢部１２６ｄ，１２６ｅの他、上述した地板受けリング１２６の内周凸状部１２６ｇ、外周凸状部１２６ｈ、アンテナフック部１２６ｃ、及び、アンテナ１１０の切欠き部１１０ａ，１１０ｃの個数と位置は適宜変更可能である。
【００７９】
（変形例４）
上述した実施形態及び各変形例においては、本発明をアナログ式の電子時計に適用したが、本発明は、デジタル式の電子時計、クオーツウォッチ、置き時計、あるいは、掛け時計等に適用可能である。
【符号の説明】
【００８０】
１０…電子時計、１１…文字板、１２…文字板、３０…外装ケース、３１…ケース、３１ａ…庇、４０…ダイヤルリング、１１０…アンテナ、１１１…切欠き部、１１２…第１アンテナパターン、１１３…第２アンテナパターン、１１４…給電板、１１５…アンテナ接続ピン、１１６…ケース、１２５…地板、１２５ａ…庇、１２６…地板受けリング、１２６ａ…凸部、１２６ｃ…アンテナフック部、１２６ｄ…付勢部、１２６ｅ…付勢部、１２６ｆ…地板受け部、１２６ｇ…内周凸状部、１２６ｈ…外周凸状部、１２６ｊ…平面部、２００…電子時計。
【図１】
2015175673.tif 000003
【図２】
2015175673.tif 000004
【図３】
2015175673.tif 000005
【図４】
2015175673.tif 000006
【図５】
2015175673.tif 000007
【図６】
2015175673.tif 000008
【図９】
2015175673.tif 000009
【図１０】
2015175673.tif 000010
【図１１】
2015175673.tif 000011
【図１２】
2015175673.tif 000012
【図１３】
2015175673.tif 000013
【図１４】
2015175673.tif 000014
【図１５】
2015175673.tif 000015
【図１６】
2015175673.tif 000016
【図１７】
2015175673.tif 000017
【図１８】
2015175673.tif 000018
【図１９】
2015175673.tif 000019
【図２０】
2015175673.tif 000020
【図２１】
2015175673.tif 000021
【図２２】
2015175673.tif 000022
【図２３】
2015175673.tif 000023
【図２４】
2015175673.tif 000024
【図７】
2015175673.tif 000025
【図８】
2015175673.tif 000026